(57)【要約】【課題】  外枠に配設された被係止部の剛性を向上する。【解決手段】  本発明に係るパチンコ機１は、外枠１０と、外枠１０に対して開閉自在に取り付けられた本体枠２０と、外枠１０に対する本体枠２０の開放を規制する施錠機構４０と、を備える。外枠１０は、上枠部材１１と、下枠部材１２と、一対の側枠部材１３，１４と、を有してなる。また、外枠１０は、上枠部材１１と一方の側枠部材１４とを互いに連結する連結部材６０を有している。さらに、施錠機構４０は、本体枠２０に配設された係止部４１ｂと、係止部４１ｂが係止される被係止部６３と、を有している。そして、被係止部６３は、連結部材６０に設けられている。【選択図】  図９
2014100416.tif 000002
【特許請求の範囲】
【請求項１】
上枠部材と、下枠部材と、一対の側枠部材と、を有してなる外枠と、
前記外枠に対して開閉自在に取り付けられ、遊技盤が取り付けられた本体枠と、
前記外枠に対する前記本体枠の開放を規制する施錠機構と、を備える遊技機であって、
前記外枠は、前記上枠部材と前記一対の側枠部材のうち一方の側枠部材とを互いに連結する連結部材を有し、
前記施錠機構は、前記本体枠に配設された係止部と、前記外枠に配設され、前記係止部が係止される被係止部と、を有し、
前記被係止部は、前記連結部材に設けられていることを特徴とする遊技機。
【請求項２】
前記連結部材は、前記上枠部材の端部の内面側に取り付けられた第１内側連結部と、前記一方の側枠部材の端部の内面側に取り付けられた第２内側連結部と、を有し、
前記被係止部は、前記第２内側連結部に設けられていることを特徴とする請求項１に記載の遊技機。
【請求項３】
前記上枠部材の端部の外面側に取り付けられた第１外側連結部と、前記一方の側枠部材の端部の外面側に取り付けられた第２外側連結部と、を有してなり、前記上枠部材と前記一方の側枠部材とを互いに連結する外側連結部材を備え、
前記第２内側連結部は、前記第２外側連結部に対して固定されていることを特徴とする請求項２に記載の遊技機。
【請求項４】
前記第２内側連結部は、前記一方の側枠部材の長手方向に沿って互いに連続するように設けられた第１板状部及び第２板状部を有し、
前記第２板状部は、前記第１板状部に対して前記一方の側枠部材の長手方向の中央側に設けられ、
前記第２板状部の前端は、前記第１板状部の前端の位置に対して後側に位置し、
前記被係止部は、前記第２板状部の前端から前記一対の側枠部材のうち他方側の側枠部材側に向かって立ち上がるように設けられていることを特徴とする請求項２又は３に記載の遊技機。
【請求項５】
前記第１板状部における前記被係止部の位置に対して前側の部位と前記第２外側連結部とを固定する第１固定手段と、
前記第２板状部における前記被係止部の位置に対して後側の部位と前記第２外側連結部とを固定する第２固定手段と、を備えることを特徴とする請求項４に記載の遊技機。
【発明の詳細な説明】
【技術分野】
【０００１】
本発明は、外枠に対する本体枠の開放を規制する施錠機構を備える遊技機に関する。
【背景技術】
【０００２】
一般的に、遊技機は、遊技場の島設備に設置される外枠と、遊技盤が取り付けられた本体枠と、を備えている。そして、本体枠は、外枠に対して開閉自在に取り付けられ、外枠に対する本体枠の開放を規制する施錠機構を有している。
従来、前枠（本体枠）に配設された施錠装置（施錠機構）が係止される係止爪（被係止部）を外枠において備える遊技機が知られている（特許文献１参照）。
この遊技機では、外枠は、上下の枠部材と、左右の枠部材と、これらの枠部材を連結する４つの連結部材と、を有している。また、各連結部材は、板金により形成され、外枠の各角部の内側に配設されている。
そして、この遊技機では、係止爪は、右の枠部材の内側において、連結部材に対して離間した位置に配設されている。
【先行技術文献】
【特許文献】
【０００３】
【特許文献１】特開２００７−２７５３３０号公報
【発明の概要】
【発明が解決しようとする課題】
【０００４】
しかしながら、従来の遊技機では、外枠に配設された係止爪の剛性が不十分となる恐れがある。
すなわち、従来の遊技機では、係止爪が右の枠部材に対してのみ固定されているため、係止爪の剛性が不十分となる恐れがある。
本発明の課題は、外枠に配設された被係止部の剛性を向上することにある。
【課題を解決するための手段】
【０００５】
上記目的を達成するために、第一の発明に係る遊技機は、上枠部材と、下枠部材と、一対の側枠部材と、を有してなる外枠と、前記外枠に対して開閉自在に取り付けられ、遊技盤が取り付けられた本体枠と、前記外枠に対する前記本体枠の開放を規制する施錠機構と、を備える遊技機であって、前記外枠は、前記上枠部材と前記一対の側枠部材のうち一方の側枠部材とを互いに連結する連結部材を有し、前記施錠機構は、前記本体枠に配設された係止部と、前記外枠に配設され、前記係止部が係止される被係止部と、を有し、前記被係止部は、前記連結部材に設けられていることを特徴とする。
第一の発明に係る遊技機では、外枠が、上枠部材と一方の側枠部材とを互いに連結する連結部材を有している。そして、被係止部が、連結部材に設けられている。すなわち、被係止部が、連結部材の一部となっている。
これにより、第一の発明に係る遊技機では、被係止部（連結部材）が、上枠部材及び一方の側枠部材のそれぞれに対して固定されるため、外枠に配設された被係止部の剛性を向上することが可能となる。
【０００６】
また、第一の発明に係る遊技機では、被係止部が連結部材の一部となっていることによって、被係止部が連結部材とは別の部材に設けられている場合と比較して、外枠の部品点数を削減することが可能となるとともに、外枠の製造工程を削減することが可能となる。
具体的には、被係止部材が連結部材とは別の部材に設けられている場合には、各部材について、一方の側板部材における取り付け位置の設定を行う必要があり、また、各部材について、一方の側板部材に取り付けるためのボルト等の固定手段が必要となる。
これに対して、被係止部が連結部材の一部となっている場合には、上記別の部材が不要となるとともに、上記別の部材についての固定手段が不要となるため、外枠の部品点数を削減することが可能となる。また、上記別の部材についての取り付け位置の設定が不要となるため、外枠の製造工程を削減することが可能となる。
さらに、第一の発明に係る遊技機では、被係止部が、上枠部材及び一方の側枠部材のそれぞれに対して固定された連結部材の一部となっていることによって、一方の側枠部材の長手方向における被係止部材の位置決めを、上枠部材を基準として容易に行うことができる。また、上枠部材の長手方向における被係止部材の位置決めを、一方の側枠部材を基準として容易に行うことができる。したがって、被係止部材の取り付け精度を向上することが可能となる。
ここで、上枠部材としては、後述する上枠部材１１が該当する。下枠部材としては、後述する下枠部材１２が該当する。側枠部材としては、後述する左側枠部材１３及び右側枠部材１４が該当する。外枠としては、後述する外枠１０が該当する。本体枠としては、後述する本体枠２０が該当する。施錠機構としては、後述する施錠装置４０及び錠受け部６３が該当する。一方の側枠部材としては、後述する右側枠部材１４が該当する。連結部材としては、後述する内側連結部材６０が該当する。係止部としては、後述する係止片部４１ｂが該当する。被係止部としては、後述する錠受け部６３が該当する。
【０００７】
第二の発明に係る遊技機は、第一の発明に係る遊技機において、前記連結部材は、前記上枠部材の端部の内面側に取り付けられた第１内側連結部と、前記一方の側枠部材の端部の内面側に取り付けられた第２内側連結部と、を有し、前記被係止部は、前記第２内側連結部に設けられていることを特徴とする。
第二の発明に係る遊技機では、被係止部が、一方の側枠部材の内面側に取り付けられた第２内側連結部に設けられている。
これにより、第二の発明に係る遊技機では、本体枠に配設された係止部による被係止部の係止を、より確実に行うことが可能となる。
ここで、第１内側連結部としては、後述する第１内側連結部６１が該当する。第２内側連結部としては、後述する第２内側連結部６２が該当する。
【０００８】
第三の発明に係る遊技機は、第二の発明に係る遊技機において、前記上枠部材の端部の外面側に取り付けられた第１外側連結部と、前記一方の側枠部材の端部の外面側に取り付けられた第２外側連結部と、を有してなり、前記上枠部材と前記一方の側枠部材とを互いに連結する外側連結部材を備え、前記第２内側連結部は、前記第２外側連結部に対して固定されていることを特徴とする。
第三の発明に係る遊技機では、被係止部を有する第２内側連結部が、上枠部材及び一方の側枠部材のそれぞれに対して固定された外側連結部材に固定されている。
これにより、第三の発明に係る遊技機では、外枠に配設された被係止部の剛性を、さらに向上することが可能となる。
ここで、第１外側連結部としては、後述する第１外側連結部５１が該当する。第２外側連結部としては、後述する第２外側連結部５２が該当する。外側連結部材としては、後述する外側連結部材５０が該当する。
【０００９】
第四の発明に係る遊技機は、第二又は第三の発明に係る遊技機において、前記第２内側連結部は、前記一方の側枠部材の長手方向に沿って互いに連続するように設けられた第１板状部及び第２板状部を有し、前記第２板状部は、前記第１板状部に対して前記一方の側枠部材の長手方向の中央側に設けられ、前記第２板状部の前端は、前記第１板状部の前端の位置に対して後側に位置し、前記被係止部は、前記第２板状部の前端から前記一対の側枠部材のうち他方側の側枠部材側に向かって立ち上がるように設けられていることを特徴とする。
第四の発明に係る遊技機では、被係止部が、第２内側連結部における第２板状部の前端に設けられている。また、第２板状部の前端は、第２内側連結部における前記第１板状部の前端の位置に対して後側に位置している。
これにより、第四の発明に係る遊技機では、第１板状部の前後方向の寸法をより広く確保しつつ、被係止部をより後側に配置することができる。したがって、第２内側連結部の強度の低下を抑制しつつ、被係止部の前後方向における配置の自由度を向上することが可能となる。
ここで、一方の側枠部材の長手方向としては、後述する上下方向が該当する。第１板状部としては、後述する第１板状部６５が該当する。第２板状部としては、後述する第２板状部６６が該当する。他方の側枠部材としては、後述する左側枠部材１３が該当する。
【００１０】
第五の発明に係る遊技機は、第四の発明に係る遊技機において、前記第１板状部における前記被係止部の位置に対して前側の部位と前記第２外側連結部とを固定する第１固定手段と、前記第２板状部における前記被係止部の位置に対して後側の部位と前記第２外側連結部とを固定する第２固定手段と、を備えることを特徴とする。
第五の発明に係る遊技機では、被係止部を有する第２内側連結部において、被係止部の位置に対して前側の部位及び後側の部位のそれぞれが、固定手段を介して第２外側連結部に固定される。
これにより、第五の発明に係る遊技機では、外枠に配設された被係止部の剛性を、さらに向上することが可能となる。
ここで、第１固定手段としては、後述するボルトＢ１及びネジ孔６５ａが該当する。第２固定手段としては、後述するボルトＢ１及びネジ孔６６ａが該当する。
【発明の効果】
【００１１】
本発明によれば、外枠に配設された被係止部の剛性を向上することが可能となる。
【図面の簡単な説明】
【００１２】
【図１】パチンコ機の全体構成を示す斜視図である。
【図２】図１に示す破線で囲まれた部分の拡大図である。
【図３】図１に示すパチンコ機が備える外枠の正面図である。
【図４】図３に示す外枠の角部であって、角部の外側を拡大した状態を示す斜視図である。
【図５】図３に示す外枠の角部であって、角部の内側を拡大した状態を示す斜視図である。
【図６】図３に示す外枠が備える上枠部材の斜視図である。
【図７】図３に示す外枠が備える右側枠部材の斜視図である。
【図８】図３に示す外枠が備える外側連結部材の斜視図である。
【図９】図３に示す外枠が備える内側連結部材の斜視図である。
【発明を実施するための形態】
【００１３】
以下、本発明の実施形態について図面を参照しながら説明する。
本実施形態では、本発明に係る遊技機を、パチンコ機１に適用している。
【００１４】
（パチンコ機１の全体構成）
まず、パチンコ機１の全体構成を説明する。
図１は、パチンコ機の全体構成を示す斜視図である。図１では、外枠１０に対して本体枠２０を開いた状態を示している。なお、以下の説明では、「上下方向」とは、図１及び図３における上下方向をいい、「左右方向」とは、図３における左右方向をいい、前後方向とは、図３に示す奥行き方向（手前側を前側とし、奥側を後側とする）をいう。図２は、図１に示す破線で囲まれた部分の拡大図である。
図１に示すパチンコ機１は、遊技場の島設備に設置される外枠１０と、外枠１０に対して開閉自在に取り付けられた本体枠２０と、本体枠２０に対して開閉自在に取り付けられた前面扉ユニット３０と、外枠１０に対する本体枠２０の開放及び本体枠２０に対する前面扉ユニット３０の開放のそれぞれを規制する施錠装置４０（施錠機構）と、を備えている。
本体枠２０は、矩形状に形成され、その内側には、遊技球が転動する遊技領域を有する遊技盤（図示せず）が取り付けられている。本体枠２０は、ヒンジ２ａ，２ｂを介して外枠１０に取り付けられており、外枠１０に対して扉状に開閉自在となっている。
【００１５】
前面扉ユニット３０は、本体枠２０に取り付けられた遊技盤の正面に位置する透明板３１と、透明板３１の周囲に配設された装飾ユニット３２と、透明板３１の下方に配設された受皿ユニット３３及び発射ハンドル３４と、を有している。
装飾ユニット３２は、前方に向かって膨出する形状を有しており、その内部には、スピーカ（図示せず）が配設されている。受皿ユニット３３は、遊技球（貸球及び賞球）を受ける受皿３３ａを有している。発射ハンドル３４は、遊技者による回転操作に応じて、遊技球を遊技盤に設けられた遊技領域に打ち出すための所定信号を制御装置（図示せず）に対して出力する。
前面扉ユニット３０は、ヒンジ３ａ，３ｂを介して本体枠２０に取り付けられており、本体枠２０に対して扉状に開閉自在となっている。
【００１６】
施錠装置４０は、本体枠２０の右側の側部に配設されている。施錠装置４０は、外枠１０に配設された後述する錠受け部６３（被係止部）及び錠受け部材６８に係止される一対の外枠用錠部材４１と、前面扉ユニット３０に配設された錠受け部（図示せず）に係止される前面扉ユニット用錠部材（図示せず）と、外枠用錠部材４１及び前面扉ユニット用錠部材のそれぞれを駆動する錠前装置４２と、を有している。
図２に示すように、各外枠用錠部材４１は、後側に向かって延びる平板部４１ａと、平板部４１ａの後端から外側（右側）に向かって立ち上がる係止片部４１ｂ（係止部）と、を有している。
錠前装置４２では、後述する第一開錠操作が行われてないときには、一対の外枠用錠部材４１が本体枠施錠位置に配置され、第一解除操作が行われることに応じて、本体枠施錠位置に配置されている一対の外枠用錠部材４１が上方に移動させて本体枠開錠位置に配置される。
本実施形態では、第一開錠操作は、鍵４４を錠前装置４２の鍵穴４３に挿入した状態で、この鍵４４を右方向に回転させる操作となっている。また、本体枠施錠位置とは、各外枠用錠部材４１の係止片部４１ｂが外枠１０に配設された各錠受け部６３，６８に係止することが可能となる位置をいう。一方、本体枠開錠位置とは、各外枠用錠部材４１の係止片部４１ｂが各錠受け部６３，６８に係止することが不可能となる位置（係止が解除される位置）をいう。
【００１７】
また、錠前装置４２では、後述する第二開錠操作が行われてないときには、前面扉ユニット用錠部材が扉ユニット施錠位置に配置され、第二解除操作が行われることに応じて、扉ユニット施錠位置に配置されている前面扉ユニット用錠部材が扉ユニット開錠位置に配置される。
本実施形態では、第二開錠操作は、鍵４４を錠前装置４２の鍵穴４３に挿入した状態で、この鍵４４を左方向に回転させる操作となっている。また、扉ユニット施錠位置とは、前面扉ユニット用錠部材が前面扉ユニット３０に配設された錠受け部に係止することが可能となる位置をいう。一方、扉ユニット開錠位置とは、前面扉ユニット用錠部材が前面扉ユニット３０に配設された錠受け部に係止することが不可能となる位置（係止が解除される位置）をいう。
【００１８】
（外枠１０の構成）
次に、パチンコ機１が備える外枠１０の構成を説明する。
図３は、図１に示すパチンコ機が備える外枠の正面図である。図４は、図３に示す外枠の角部であって、角部の外側を拡大した状態を示す斜視図である。図５は、図３に示す外枠の角部であって、角部の内側を拡大した状態を示す斜視図である。なお、図４及び図５は、外枠１０の４つの角部のうち、右上の角部を示す。
図３に示すように、外枠１０は、それぞれが左右方向に沿って延びる上枠部材１１及び下枠部材１２と、それぞれが上下方向に沿って延びる左側枠部材１３（他方の側枠部材）及び右側枠部材１４（一方の側枠部材）と、を有して、矩形状に形成されている。４つの枠部材１１，１２，１３，１４は、連結部材によって互いに連結されている。
特に、図４及び図５に示すように、外枠１０は、上記連結部材として、上枠部材１１の右端部と右側枠部材１４の上端部とを互いに連結する外側連結部材５０及び内側連結部材６０を有している。
【００１９】
図６は、図３に示す外枠が備える上枠部材の斜視図である。なお、図６（ａ）は、上枠部材の外面側を示し、図６（ｂ）は、上枠部材の内面側を示す。
図３及び図６に示すように、上枠部材１１は、左右方向に沿って延びる板状（角柱状）に形成されている。本実施形態では、上枠部材１１は、木材により形成されている。図６（ａ）に示すように、上枠部材１１の右端部の外面（上面）には、切欠き部１１ａが設けられている。切欠き部１１ａの大きさ及び深さは、外側連結部材５０の後述する第１外側連結部５１の大きさ及び厚みと略一致している。
また、上枠部材１１の切欠き部１１ａには、後述するボルトＢ３が挿通される挿通孔１１ｂが設けられている。本実施形態では、切欠き部１１ａには、３つの挿通孔１１ｂが設けられている。各挿通孔１１ｂは、上枠部材１１を上下方向に貫通している。
図３に示すように、下枠部材１２は、左右方向に沿って延びる板状に形成された枠材（図示せず）と、枠材の前面に配設された装飾板１２ａと、を有している。装飾板１２ａは、四角形の平板状に形成され、本体枠２０及び前面扉ユニット３０が閉じられた際に、前面扉ユニット３０の下方に位置する。
【００２０】
左側枠部材１３と右側枠部材１４とは、同一の構成を有している。したがって、以下の説明では、右側枠部材１４の構成について説明し、左側枠部材１３の構成についての説明を省略する。
図７は、図３に示す外枠が備える右側枠部材の斜視図である。なお、図７（ａ）は、右側枠部材の外面側を示し、図７（ｂ）は、右側枠部材の内面側を示す。
図７に示すように、右側枠部材１４は、上下方向に沿って延びる板状（四角形の平板状）に形成されている。本実施形態では、右側枠部材１４は、アルミにより形成されている。
図７（ａ）に示すように、右側枠部材１４の外面（右側面）には、上下方向に沿って延びる保持溝１４ａが設けられている。保持溝１４ａは、右側枠部材１４の上端から下端まで連続して設けられている。保持溝１４ａの深さは、外側連結部材５０の後述する狭幅部５４の厚みと略一致している。また、保持溝１４ａの幅（前後方向の寸法）は、外側連結部材５０の後述する狭幅部５４の幅（前後方向の寸法）と略一致している。
また、図１に示すように、右側枠部材１４の下端部には、一方の外枠用錠部材４１が係止される錠受け部材６８が配設されている。錠受け部材６８は、板金により形成されている。ここで、錠受け部材６８は、右側枠部材１４の下端部と下枠部材１２の右端部とを互いに連結する連結部材（図示せず）とは別の部材となっており、この連結部材とは離間した位置に配設されている。
【００２１】
図７（ｂ）に示すように、右側枠部材１４の内面（左側面）における後端部には、後壁部１４ｂが設けられている。後壁部１４ｂは、右側枠部材１４の内面における後端部から左側枠部材１３側に向かって立ち上がるように設けられている。また、後壁部１４ｂは、右側枠部材１４の上端から下端まで上下方向に沿って延びている。図７（ａ）に示すように、本実施形態では、後壁部１４ｂは、上下方向に沿って延びる四角形の管状に形成されている。
ここで、後壁部１４ｂは、ピアノ線等の線材が外枠１０の背面側から外枠１０の内側に挿入されることを阻止する。これによって、ピアノ線等の線材により本体枠施錠位置に配置されている一対の外枠用錠部材４１を本体枠開錠位置に移動させる不正行為を防止することが可能となる。
【００２２】
右側枠部材１４の保持溝１４ａ内における上端部には、後述するボルトＢ１が挿通される挿通孔１４ｃと、後述するボルトＢ２が挿通される挿通孔１４ｄと、が設けられている。各挿通孔１４ｃ，１４ｄは、右側枠部材１４を左右方向に貫通している。
また、右側枠部材１４の保持溝１４ａ内における上端部には、外側連結部材５０の後述する位置決め凸部５４ｃが嵌合される位置決め孔１４ｅと、内側連結部材６０の後述する位置決め凸部６５ｂ，６６ｂが嵌合される位置決め孔１４ｆ，１４ｇと、が設けられている。本実施形態では、外側連結部材５０において位置決め凸部５４ｃが２つ設けられているため、右側枠部材１４においても位置決め孔１４ｅが２つ設けられている。各位置決め孔１４ｅ，１４ｆ，１４ｇは、右側枠部材１４を左右方向に貫通している。
【００２３】
図８は、図３に示す外枠が備える外側連結部材の斜視図である。なお、図８（ａ）は、外側連結部材の外面側を示し、図８（ｂ）は、外側連結部材の内面側を示す。
外側連結部材５０は、平板状の一枚の板金を曲げ加工することにより形成されている。図８に示すように、外側連結部材５０は、第１外側連結部５１と、第１外側連結部５１の右端から下方に向かって延びる第２外側連結部５２と、を有して、前方から見て逆Ｌ字形に形成されている。なお、第１外側連結部５１と第２外側連結部５２とは、互いに一体に形成されている。
第１外側連結部５１は、上方から見て四角形状に形成されている。第１外側連結部５１には、ボルトＢ３が挿通される挿通孔５１ａが設けられている。本実施形態では、第１外側連結部５１には、３つの挿通孔５１ａが設けられている。各挿通孔５１ａは、第１外側連結部５１を上下方向に貫通している。なお、各挿通孔５１ａは、上枠部材１１の各挿通孔１１ｂに対応した位置に設けられている。また、各挿通孔５１ａの内径は、ボルトＢ３の頭部の外径より小さくなっている。
【００２４】
第２外側連結部５２は、第１外側連結部５１の右端に連続する広幅部５３と、広幅部５３の下端から下方に向かって延びる狭幅部５４と、を有している。広幅部５３及び狭幅部５４は、それぞれ、側方から見て四角形状に形成されている。広幅部５３の幅（前後方向の寸法）は、第１外側連結部５１の幅と略同一となっている。幅狭部５４の幅は、広幅部５３の幅より小さくなっており、右側枠部材１４の保持溝１４ａの幅と略同一となっている。
狭幅部５４には、ボルトＢ１が挿通される挿通孔５４ａと、ボルトＢ２が挿通される挿通孔５４ｂと、が設けられている。各挿通孔５４ａ，５４ｂは、狭幅部５４を左右方向に貫通している。なお、挿通孔５４ａは、右側枠部材１４の挿通孔１４ｃに対応する位置に設けられている。また、挿通孔５４ｂは、右側枠部材１４の挿通孔１４ｄに対応する位置に設けられている。さらに、各挿通孔５４ａ，５４ｂの内径は、ボルトＢ１，Ｂ２の頭部の外径より小さくなっている。
また、図８（ｂ）に示すように、狭幅部５４の内面には、右側枠部材１４の位置決め孔１４ｅに嵌合する位置決め凸部５４ｃが設けられている。本実施形態では、右側枠部材１４において位置決め孔１４ｅが２つ設けられているため、外側連結部材５０においても位置決め凸部５４ｃが２つ設けられている。各位置決め凸部５４ｃは、右側枠部材１４の各位置決め孔１４ｅに対応する位置に設けられている。
【００２５】
図９は、図３に示す外枠が備える内側連結部材の斜視図である。なお、図９（ａ）は、内側連結部材の外面側を示し、図９（ｂ）は、内側連結部材の内面側を示す。
内側連結部材６０は、平板状の一枚の板金を曲げ加工することにより形成されている。図９に示すように、内側連結部材６０は、第１内側連結部６１と、第１内側連結部６１の右端から下方に向かって延びる第２内側連結部６２と、を有して、前方から見て逆Ｌ字形に形成されている。なお、第１外側連結部５１と第２外側連結部５２（後述する錠受け部６３を含む）とは、互いに一体に形成されている。
内側連結部材６０には、第１内側連結部６１の左端から第２内側連結部６２の後述する第１板状部６５の下端部までの間に亘って、リブ（ビート）Ｒ１が設けられている。リブＲ１は、絞り加工（プレス加工）によって、内側連結部材６０の外面側から内面側に向かって突出するように形成されている。なお、リブＲ１は、第１内側連結部６１と第２内側連結部６２との境界における曲げ加工部６４ａにも設けられている。なお、リブＲ１は、第２内側連結部６２の第２板状部６６（錠受け部６３の後側）には達していない。
【００２６】
第１内側連結部６１には、ボルトＢ３の雄ネジ部が螺合されるネジ孔６１ａが設けられている。本実施形態では、第１内側連結部６１には、３つのネジ孔６１ａが設けられている。各ネジ孔６１ａは、第１内側連結部５１を上下方向に貫通している。各ネジ孔６１ａは、第１外側連結部５１の各挿通孔５１ａ（上枠部材１１の各挿通孔１１ｂ）に対応する位置に設けられている。
第２内側連結部６２は、第１内側連結部６１の右端に連続する第１板状部６５と、第１板状部６５の下端から下方に向かって延びる第２板状部６６と、を有している。第１板状部６５及び第２板状部６６は、それぞれ、側方から見て四角形状に形成されている。第１板状部６５の幅（前後方向の寸法）は、第１内側連結部６１の幅より小さく、外側連結部材５０の狭幅部５４の幅と略同一となっている。
また、第２板状部６６の幅は、第１板状部６５の幅より小さくなっている。具体的には、第１板状部６５の後端と第２板状部６６の後端とは、互いに連続するように一直線上に配置されている。そして、第２板状部６６の前端は、第２板状部６５の前端の位置に対して後側に配置されている。
【００２７】
第１板状部６５は、ボルトＢ１の雄ネジ部が螺合されるネジ孔６５ａが設けられている。ネジ孔６５ａは、第１板状部６５におけるリブＲ１の前側に設けられている。ネジ孔６５ａは、第１板状部６５を左右方向に貫通している。ネジ孔６５ａは、第２外側連結部５２の挿通孔５４ａ（右側枠部材１４の挿通孔１４ｃ）に対応する位置に設けられている。特に、ネジ孔６５ａは、第２板状部６６に設けられた後述する錠受け部６３の位置に対して前側の位置に設けられている。
また、図９（ａ）に示すように、第１板状部６５の外面には、位置決め孔１４ｆに嵌合する位置決め凸部６５ｂが設けられている。位置決め凸部６５ｂは、第１板状部６５におけるリブＲ１の後側に設けられている。位置決め凸部６５ｂは、右側枠部材１４の位置決め孔１４ｆに対応する位置に設けられている。
【００２８】
第２板状部６６は、ボルトＢ２の雄ネジ部が螺合されるネジ孔６６ａが設けられている。ネジ孔６６ａは、第２板状部６６を左右方向に貫通している。ネジ孔６６ａは、第２外側連結部５２の挿通孔５４ｂ（右側枠部材１４の挿通孔１４ｄ）に対応する位置に設けられている。特に、ネジ孔６６ａは、錠受け部６３の位置に対して後側の位置に設けられている。
また、図９（ａ）に示すように、第２板状部６６の外面には、位置決め孔１４ｇに嵌合する位置決め凸部６６ｂが設けられている。位置決め凸部６６ｂは、第２板状部６６におけるネジ孔６６ａの上側に設けられている。位置決め凸部６６ｂは、右側枠部材１４の位置決め孔１４ｇに対応する位置に設けられている。
さらに、第２板状部６６の前端には、錠受け部６３（施錠機構）が設けられている。錠受け部６３は、右側枠部材１４の内面（左側面）に配設される第２板状部６６の前端から左側枠部材１３側に向かって立ち上がるように設けられている。そして、錠受け部６３の左端部は、後側に向かって折り曲げられている。
なお、第２板状部６６及び錠受け部６３は、互いに一体に形成されている。そして、第２板状部６６と錠受け部６３との境界における曲げ加工部６４ｂには、リブＲ２が設けられている。リブＲ２は、カシメ加工により形成され、曲げ加工部６４ｂの外面側から内面側に向かって突出するように設けられている。
【００２９】
（外枠１０の組み立て）
次に、外枠１０の組み立てについて説明する。
外枠１０の組み立てにおいては、連結部材によって、上枠部材１１、下枠部材１２、左側枠部材１３及び右側枠部材１４を矩形状に連結する。特に、外側連結部材５０及び内側連結部材６０によって、上枠部材１１の右端部と右側枠部材１４の上端部とを互いに連結する。
具体的には、図４及び図５に示すように、まず、右側枠部材１４に対して、外側連結部材５０及び内側連結部材６０を固定する。
これには、外側連結部材５０の第２外側連結部５２を、右側枠部材１４の外面の上端部に配置する。この際、第２外側連結部５２の狭幅部５４の各位置決め凸部５４ｃが、右側枠部材１４の各位置決め孔１４ｅに嵌合されるように、狭幅部５４を、右側枠部材１４の保持溝１４ａ内に配置する。
また、内側連結部材６０の第２内側連結部６２を、右側枠部材１４の内面の上端部に配置する。この際、第２内側連結部６２の第１板状部６５の位置決め凸部６５ｂが、右側枠部材１４の位置決め孔１４ｆに嵌合されるとともに、第２内側連結部６２の第２板状部６６の位置決め凸部６６ｂが、右側枠部材１４の位置決め孔１４ｇに嵌合されるように、第２内側連結部６２を、右側枠部材１４の内面に配置する。
【００３０】
すると、第２外側連結部５２の挿通孔５４ａ、右側枠部材１４の挿通孔１４ｃ及び第２内側連結部６２のネジ孔６５ａが一連となるように配置される。そして、一連となっている挿通孔５４ａ、挿通孔１４ｃ及びネジ孔６５ａに、第２外側連結部５２側からボルトＢ１を挿入して、このボルトＢ１の雄ネジ部をネジ孔６５ａの雌ネジ部に螺合する。また、第２外側連結部５２の挿通孔５４ｂ、右側枠部材１４の挿通孔１４ｄ及び第２内側連結部６２のネジ孔６６ａが一連となるように配置される。そして、一連となっている挿通孔５４ｂ、挿通孔１４ｄ及びネジ孔６６ａにボルトＢ２を挿入して、このボルトＢ２の雄ネジ部をネジ孔６６ａの雌ネジ部に螺合する。
これによって、右側枠部材１４の上端部が、第２外側連結部５２の狭幅部５４と第２内側連結部６２との間に挟み込まれた状態で、右側枠部材１４に対して、外側連結部材５０及び内側連結部材６０が固定される。この際、第２外側連結部５２の広幅部５３は、右側枠部材１４の上側に突出した状態で配置される。
【００３１】
次に、上枠部材１１に対して、外側連結部材５０及び内側連結部材６０を固定する。
これには、外側連結部材５０の第１外側連結部５１を上枠部材１１の切欠き部１１ａの上面に配置するとともに、内側連結部材６０の第１内側連結部６１を上枠部材１１の切欠き部１１ａの下面に配置する。この際、第１外側連結部５１と第１内側連結部６１との間に上枠部材１１の右端部を挿入して、上枠部材１１の右端面を、第２外側連結部５２の広幅部５３の内面に接触させる。
すると、第１外側連結部５１の各挿通孔５１ａ、上枠部材１１の各挿通孔１１ｂ及び第１内側連結部６１の各ネジ孔６１ａが、一連となるように配置される。そして、各一連となっている挿通孔５１ａ、挿通孔１１ｂ及びネジ孔６１ａに、第１外側連結部５１側からボルトＢ３を挿入して、このボルトＢ３の雄ネジ部をネジ孔６１ａの雌ネジ部に螺合する。
これによって、上枠部材１１の右端部が、第１外側連結部５１と第１内側連結部６１との間において挟み込まれた状態で、上枠部材１１に対して、外側連結部材５０及び内側連結部材６０が固定される。
以上により、上枠部材１１の右端部と右側枠部材１４の上端部との連結が完了する。
【００３２】
組み立てが完了した外枠１０では、錠受け部６３は、右側枠部材１４の前端と後壁部１４ｂとの間に配置される。具体的には、錠受け部６３は、第１板状部６５の前端の位置より後側に、かつ、後壁部１４ｂの前側において後壁部１４ｂに対して離間した状態で配置される。なお、後壁部１４ｂの高さ（左右方向の寸法）は、錠受け部６３の高さ（左右方向の寸法）と略一致している。また、錠受け部６３は、上枠部材１１の下側において上枠部材１１に対して離間した状態で配置される。
また、ボルトＢ１は、第２内側連結部６２における錠受け部６３の位置より前側の部位を、第２外側連結部５２に対して固定している。また、ボルトＢ１は、第２内側連結部６２における錠受け部６３の位置より上側の部位を、第２外側連結部５２に対して固定している。
一方、ボルトＢ２は、第２内側連結部６２における錠受け部６３の位置より後側の部位を、第２外側連結部５２に対して固定している。また、ボルトＢ２は、第２内側連結部６２における錠受け部６３の下端部の後側の部位を、第２外側連結部５２に対して固定している。なお、ボルトＢ２は、第２内側連結部６２における錠受け部６３の位置より下側の部位を、第２外側連結部５２に対して固定する構成としても構わない。
【００３３】
（パチンコ機１の作用）
次にパチンコ機１の作用を説明する。
パチンコ機１では、外枠１０が、上枠部材１１と右側枠部材１４とを互いに連結する内側連結部材６０を有している。そして、錠受け部６３が、内側連結部材６０に設けられている。すなわち、錠受け部６３が、内側連結部材６０の一部となっている。
これにより、錠受け部６３（右側連結部材６０）が、上枠部材１１及び右側枠部材１４のそれぞれに対して固定されるため、外枠１０に配設された錠受け部６３の剛性を向上することが可能となる。
また、パチンコ機１では、錠受け部６３が内側連結部材６０の一部となっていることによって、錠受け部６３が内側連結部材６０とは別の部材に設けられている場合と比較して、外枠１０の部品点数を削減することが可能となるとともに、外枠１０の製造工程を削減することが可能となる。
具体的には、錠受け部６３が内側連結部材６０とは別の部材に設けられている場合には、各部材について、右側板部材１４における取り付け位置の設定を行う必要があり、また、各部材について、右側板部材１４に取り付けるためのボルト等の固定手段が必要となる。
これに対して、錠受け部６３が内側連結部材６０の一部となっている場合には、上記別の部材が不要となるとともに、上記別の部材についての固定手段が不要となるため、外枠１０の部品点数を削減することが可能となる。また、上記別の部材についての取り付け位置の設定が不要となるため、外枠１０の製造工程を削減することが可能となる。
【００３４】
また、パチンコ機１では、錠受け部６３が、上枠部材１１及び右側枠部材１４のそれぞれに対して固定された内側連結部材６０の一部となっていることによって、右側枠部材１４の長手方向（上下方向）における錠受け部６３の位置決めを、上枠部材１１を基準として容易に行うことができる。また、上枠部材１１の長手方向（左右方向）における錠受け部６３の位置決めを、右側枠部材１４を基準として容易に行うことができる。したがって、錠受け部６３の取り付け精度を向上することが可能となる。
特に、パチンコ機１では、錠受け部６３が、右側枠部材１４の内面側に取り付けられた第２内側連結部６２に設けられている。これにより、本体枠２０に配設された外枠用錠部材４１の係止片部４１ｂによる錠受け部６３の係止を、より確実に行うことが可能となる。
また、パチンコ機１では、錠受け部６３を有する第２内側連結部６２が、上枠部材１１及び右側枠部材１４のそれぞれに対して固定された外側連結部材５０に固定されている。これにより、外枠１０に配設された錠受け部６３の剛性を、さらに向上することが可能となる。
【００３５】
また、パチンコ機１では、第２内側連結部６２が、右側枠部材１４の長手方向（上下方向）に沿って互いに連続するように設けられた第１板状部６５及び第２板状部６６を有している。また、第２板状部６６は、第１板状部６５に対して右側枠部材１４の長手方向の中央側（下側）に設けられている。さらに、第２板状部６６の前端は、第１板状部６５の前端の位置に対して後側に位置している。そして、錠受け部６３は、第２板状部６６の前端から左側枠部材１３側に向かって立ち上がるように設けられている。
これにより、第１板状部６５の前後方向の寸法をより広く確保しつつ、錠受け部６３をより後側に配置することができる。したがって、第２内側連結部６２の強度の低下を抑制しつつ、錠受け部６３の前後方向における配置の自由度を向上することが可能となる。
さらに、パチンコ機１では、第１板状部６５における錠受け部６３の位置に対して前側の部位と第２外側連結部５２とを固定する第１固定手段（ボルトＢ１及びネジ孔６５ａ）を有するとともに、第２板状部６６における錠受け部６３の位置に対して後側の部位と第２外側連結部５２とを固定する第２固定手段（ボルトＢ２及びネジ孔６６ａ）を有している。すなわち、錠受け部６３を有する第２内側連結部６２において、錠受け部６３の位置に対して前側の部位及び後側の部位のそれぞれが、固定手段Ｂ１，Ｂ２を介して第２外側連結部５２に固定される。
これにより、外枠１０に配設されている錠受け部６３の剛性を、さらに向上することが可能となる。
【００３６】
（変形例）
以上、本発明の実施形態について説明したが、上記実施形態では、種々の変更を行うことが可能である。
例えば、上記実施形態では、錠受け部材６８が、右側枠部材１４の下端部と下枠部材１２の右端部とを互いに連結する連結部材（図示せず）とは別の部材となっている。しかしながら、錠受け部材６８についても、錠受け部６３と同様の構成により、右側枠部材１４の下端部と下枠部材１２の右端部とを互いに連結する連結部材と一体に形成しても構わない。
また、上記実施形態では、ボルトＢ３を介して、外側連結部材５０、上枠部材１１及び内側連結部材６０が、互いに固定されている。また、ボルトＢ１，Ｂ２を介して、外側連結部材５０、右側枠部材１４及び内側連結部材６０が、互いに固定されている。しかしながら、外側連結部材５０及び内側連結部材６０が、それぞれ個別に、上枠部材１１及び右側枠部材１４のそれぞれに対して固定されていても構わない。
【符号の説明】
【００３７】
１                      パチンコ機
１０                    外枠
１１                    上枠部材
１１ｂ                  挿通孔
１２                    下枠部材
１３                    左側枠部材
１４                    右側枠部材
１４ａ                  保持溝
１４ｂ                  後壁部
１４ｃ，１４ｄ          挿通孔
１４ｅ，１４ｆ，１４ｇ  位置決め孔
２０                    本体枠
３０                    前面扉ユニット
４０                    施錠装置
４１                    外枠用錠部材
４１ｂ                  係止片部
４２                    錠前装置
５０                    外側連結部材
５１                    第１外側連結部
５１ａ                  挿通孔
５２                    第２外側連結部
５３                    広幅部
５４                    狭幅部
５４ａ，５４ｂ          挿通孔
５４ｃ，６５ｂ，６６ｂ  位置決め凸部
６０                    内側連結部材
６１                    第１内側連結部
６１ａ，６５ａ，６６ａ  ネジ孔
６２                    第２内側連結部
６３                    錠受け部
６５                    第１板状部
６６                    第２板状部
６８                    錠受け部材
Ｂ１，Ｂ２，Ｂ３        ボルト
【図１】
2014100416.tif 000003
【図２】
2014100416.tif 000004
【図３】
2014100416.tif 000005
【図４】
2014100416.tif 000006
【図５】
2014100416.tif 000007
【図６】
2014100416.tif 000008
【図７】
2014100416.tif 000009
【図８】
2014100416.tif 000010
【図９】
2014100416.tif 000011